(57)【特許請求の範囲】
【請求項１】
扉が取り付けられる開口枠に固定される固定板を有し該固定板には固定ネジの挿入される一対の固定穴が枠に沿う方向に離間して穿設されるとともに前記扉から突出される錠ボルトの進入部が前記一対の固定穴の間で凹設され且つ該固定穴が前記固定板の錠ボルト衝接方向である幅方向の中心を通る中心線上に配設されたトロヨケと、
前記固定板と同一外形で形成されるとともに前記固定穴と同一位置で貫通穴が穿設され前記進入部の開口穴より小さく穿設された錠ボルト進入穴が前記中心線に対して偏芯して配設された調整板と、
前記固定板と同一外形で形成されるとともに前記固定穴と同一位置で取付穴が穿設され前記錠ボルト進入穴より小さく穿設されたストライク穴が前記中心線に対して偏芯して配設されたストライク板と、
を具備し、
前記調整板又は前記ストライク板を１８０度回転させて固定ネジにて前記トロヨケと共に固定することで前記錠ボルトとの衝止部を変位させることを特徴とする調整ストライク。
【請求項２】
前記調整板の平行な一対の衝止部の何れか一方に折曲片部が形成されたことを特徴とする請求項１記載の調整ストライク。
【請求項３】
前記ストライク板の背面には前記固定ネジの挿通される中空ピンが前記取付穴と同軸で突設され、
前記トロヨケの固定穴及び前記調整板の貫通穴が該中空ピンの外径と同一径で形成されたことを特徴とする請求項１又は２記載の調整ストライク。
【発明の詳細な説明】
【技術分野】
【０００１】
本発明は、扉から突出される錠ボルトの衝止位置が調整可能な調整ストライクに関する。
【背景技術】
【０００２】
扉は、例えば周縁から突出させたラッチボルトや、ラッチボルトとデッドボルトとを兼用したもの、デッドボルト、又はグレモン錠係止杆、或いはこれらを適宜組み合わせた施錠係止手段（以下、「錠ボルト」と言う）を、扉枠又は両開き扉の他の扉（以下、「非開閉体」と言う。）に係止して閉扉、施錠を可能とする。錠ボルトは、扉から突出され、非開閉体に固定したストライク板の開口穴であるストライク穴に進入することで、側部がストライク穴の衝止縁に当接して扉を開放不能とし施錠とする。
【０００３】
この種の施錠構造では、扉枠と扉との建て付けや、施錠装置の施工・製造誤差により、錠ボルトと衝止縁との間に隙間が生じ、その結果、風や振動によって扉にガタツキの生じる場合がある。このような不具合を解消したものに、例えば特許文献１に開示される調整式ストライクがある。この調整式ストライクは、調整用のねじをドライバ等の工具で回すだけで、錠ボルトに対する係合部（衝止縁）を有する内ケースの水平方向の位置を容易に調整でき、扉のガタツキを無くすように構成されている。
【特許文献１】特開平１０−１０２８３９号公報
【発明の開示】
【発明が解決しようとする課題】
【０００４】
しかしながら、上記した従来の調整式ストライクに採用されているストライク穴調整機構は、調整ねじの頭部に工具係着部を設け、その工具係着部を内ケース内に露出させているため、扉の開放時に、ストライク板を固定する螺合手段（ネジ）、調整ねじ等の多数のネジ類が表出し、構造が複雑となるとともに、見栄えを低下させる問題があった。
また、扉の開放時に工具係着部（調整部）が表出することで、調整ねじが悪戯されることもあった。
さらに、工具係着部を悪意で操作して扉にガタツキを生じさせれば、不正な施錠解除も可能となり、防犯性を低下させる虞もあった。
また、錠ボルトに対する係合部を有する内ケースが板金部材等により箱状に形成されるため、錠ボルトの衝止強度を十分に高めることが困難であり、これも防犯性を低下させる要因となった。
【０００５】
本発明は上記状況に鑑みてなされたもので、簡単な構造で、扉の開放時にはストライク板表面やトロヨケに調整ねじが表出しないとともに、錠ボルトの衝止強度が高められる調整ストライクを提供し、もって、見栄えの向上、調整部の悪戯防止、防犯性の向上を図ることを目的とする。
【課題を解決するための手段】
【０００６】
次に、上記の課題を解決するための手段を、実施の形態に対応する図面を参照して説明する。
本発明の請求項１記載の調整ストライクは、扉１３が取り付けられる開口枠１１に固定される固定板２５を有し該固定板２５には固定ネジ２３の挿入される一対の固定穴２７が枠２８に沿う方向に離間して穿設されるとともに前記扉１３から突出される錠ボルト１５の進入部２９が前記一対の固定穴２７の間で凹設され且つ該固定穴２７が前記固定板２５の錠ボルト衝接方向である幅方向Ｗの中心３３を通る中心線３４上に配設されたトロヨケ１７と、
前記固定板２５と同一外形で形成されるとともに前記固定穴２７と同一位置で貫通穴３５が穿設され前記進入部２９の開口穴３１より小さく穿設された錠ボルト進入穴３７が前記中心線３４に対して偏芯して配設された調整板１９と、
前記固定板２５と同一外形で形成されるとともに前記固定穴２７と同一位置で取付穴４１が穿設され前記錠ボルト進入穴３７より小さく穿設されたストライク穴４３が前記中心線３４に対して偏芯して配設されたストライク板２１と、
を具備し、
前記調整板１９又は前記ストライク板２１を１８０度回転させて固定ネジ２３にて前記トロヨケ１７と共に固定することで前記錠ボルト１５との衝止部３７ａ，３７ｂ，４３ａ，４３ｂを変位させることを特徴とする。
【０００７】
この調整ストライクでは、ストライク板２１が固定ネジ２３によって、調整板１９を挟んでトロヨケ１７に固定されることで、トロヨケ１７の固定板２５、調整板１９がストライク板２１によって覆われ、扉開放時に、調整ねじ等の調整部材がストライク板２１の表面やトロヨケ１７内等に表出しなくなる。また、このことから調整部を悪意で操作して扉にガタツキを生じさせることが困難となる。さらに、衝止部を、錠ボルト進入穴３７、ストライク穴４３の端面とすることができるので、衝止強度が高められる。
【０００８】
請求項２記載の調整ストライクは、前記調整板１９の平行な一対の衝止部３７ａ，３７ｂの何れか一方に折曲片部３９が形成されたことを特徴とする。
【０００９】
この調整ストライクでは、折曲片部３９を衝止側に配置して調整板１９が取付けられることで、折曲片部３９がトロヨケ進入部２９の内壁２９ａに当接可能となり、錠ボルト１５からの力が、折曲片部３９を介してトロヨケ内壁面で担持可能となる。
【００１０】
請求項３記載の調整ストライクは、前記ストライク板２１の背面には前記固定ネジ２３の挿通される中空ピン４５が前記取付穴４１と同軸で突設され、
前記トロヨケ１７の固定穴２７及び前記調整板１９の貫通穴３５が該中空ピン４５の外径と同一径で形成されたことを特徴とする。
【００１１】
この調整ストライクでは、ストライク板２１の中空ピン４５が、調整板１９の貫通穴３５、トロヨケ１７の固定穴２７に挿嵌されることで、ストライク板２１、調整板１９、及びトロヨケ１７の固定板２５とが中空ピン４５を介して同一輪郭内に納められて積層状に位置決めされる。
【発明の効果】
【００１２】
本発明に係る請求項１記載の調整ストライクによれば、固定板、進入部、固定穴を有するトロヨケと、固定板と同一外形で形成され錠ボルト進入穴が中心線より偏芯した調整板と、固定板と同一外形で形成されストライク穴が中心線より偏芯したストライク板とを備え、これらを重ねて組む構成とされる構造とし、調整板又はストライク板の組み合わせを変えることで、すなわちこれらを１８０度付け替えトロヨケと共に固定することで中心線からの衝止部を変位可能に構成したので、トロヨケの固定板、調整板がストライク板によって覆われ、調整ねじが表出せず、簡単な構造で、見栄えを良くすることができるとともに、調整部が悪戯されることも防止できる。また、調整部を悪意で操作して扉にガタツキを生じさせることが困難となるので、防犯性も向上させることができる。さらに、衝止部を、錠ボルト進入穴、ストライク穴の端面とすることができるので、衝止強度を高めることができ、これによっても防犯性を向上させることができる。
【００１３】
請求項２記載の調整ストライクによれば、調整板の平行な一対の衝止部の何れか一方に折曲片部を形成したので、折曲片部を衝止側に配置した調整板の取付け向きでは、折曲片部をトロヨケ進入部の内壁に当接でき、調整板自体、或いは調整板と一体に固定されるストライク板の錠ボルト衝接方向のトロヨケに対する固定強度を高めることができる。つまり、錠ボルトからの力を、折曲片部を介してトロヨケで受けることができる。
【００１４】
請求項３記載の調整ストライクによれば、ストライク板の背面には固定ネジの挿通される中空ピンが取付穴と同軸で突設され、トロヨケの固定穴及び調整板の貫通穴がこの中空ピンの外径と同一径で形成されたので、ストライク板の中空ピンを、調整板の貫通穴、トロヨケの大径部に挿嵌することで、ストライク板、調整板、及びトロヨケの固定板とが中空ピンを介して同一輪郭内に納まるように積層状に位置決めされ、単に固定ネジの挿通、及び固定ネジの挟持力のみで積層する構造に比べ、位置決め精度、位置ズレ強度を高めることができる。
【発明を実施するための最良の形態】
【００１５】
以下、本発明に係る調整ストライクの好適な実施の形態を図面を参照して詳細に説明する。
図１は本発明に係る調整ストライクの取り付けられた開口枠を扉と共に表した斜視図、図２は扉閉止状態の図１のＡ−Ａ矢視図、図３は図１に示した調整ストライクの分解斜視図、図４は図３のＢ−Ｂ矢視図である。
非開閉体である開口枠１１には扉１３が開閉自在に取り付けられ、扉１３は周縁１３ａから錠ボルト１５を突出・後退自在に備えている。錠ボルト１５は、上記のようにラッチボルトや、ラッチボルトとデッドボルトとの兼用のもの、、デッドボルト、又はグレモン錠係止杆、或いはこれらを適宜組み合わせた施錠係止手段とすることができる。本実施の形態では錠ボルト１５が自動フラッシュボルトとされる。自動フラッシュボルトは、両開き扉の子扉に取り付けられ、親扉と連動して子扉を施錠状態とする。すなわち、親扉の閉鎖を、子扉に設けた不図示のトリガーボルトによって検知し、子扉の例えば上下縁に設けた錠ボルト１５を、開口枠１１の上下枠に突出して閉扉・施錠状態とする。
【００１６】
本実施の形態による調整ストライク１００は、この錠ボルト１５の係止相手である受けとして開口枠１１に設けられ、閉鎖状態の調整、所謂チリ寸法を調整可能とするものである。調整ストライク１００は、図３に示すように、トロヨケ１７と、調整板１９と、ストライク板２１と、固定ネジ２３とを有する。
【００１７】
トロヨケ１７には矩形状の固定板２５が形成され、固定板２５は開口枠１１に固定される。固定板２５には固定ネジ２３の挿入される一対の固定穴２７，２７が穿設され、固定穴２７，２７は枠２８に沿う方向に離間して配設される。固定板２５には一対の固定穴２７，２７の間に箱状に形成された進入部２９が凹設され、進入部２９は固定板２５に開口させた開口穴３１を介して錠ボルト１５を進入させる。一対の固定穴２７，２７は、固定板２５の錠ボルト衝接方向（図２の紙面垂直方向）である幅方向Ｗ（図４参照）の中心３３を通る中心線３４（図３参照）上に配設されている。
【００１８】
調整板１９は、トロヨケ１７の固定板２５と同一外形の矩形状で形成されるとともに、固定穴２７，２７と同一位置で貫通穴３５，３５が穿設される。貫通穴３５，３５の間には錠ボルト進入穴３７が穿設され、錠ボルト進入穴３７は図４に示すように、トロヨケ１７の開口穴３１の幅方向Ｗの寸法Ｗ１より幅方向Ｗの寸法Ｗ２が小さく形成されている。この錠ボルト進入穴３７は、図４に示すように、中心線３４に対して左寄りに偏芯して配設されている。
【００１９】
調整板１９は、平行な一対の衝止部３７ａ，３７ｂの何れか一方（３７ｂ）に、折曲片部３９が形成されている。調整板１９は、折曲片部３９を衝止側に配置して取付けられることで、折曲片部３９がトロヨケ進入部の内壁２９ａ（図４参照）に当接可能となり、錠ボルト１５からの力が、折曲片部３９を介してトロヨケ内壁２９ａで担持可能となる。これにより、調整板１９自体、或いは調整板１９と一体に固定されるストライク板２１の錠ボルト衝接方向（図４の配置では右方向）のトロヨケ１７に対する固定強度を高めることができる。つまり、錠ボルト１５からの力を、折曲片部３９を介してトロヨケ１７で受けることができる。
【００２０】
ストライク板２１は、固定板２５と同一外形の矩形状で形成されるとともに、固定穴２７，２７と同一位置で取付穴４１，４１が穿設される。取付穴４１，４１の間にはストライク穴４３が穿設され、ストライク穴４３は図４に示すように、調整板１９の錠ボルト進入穴３７の幅方向Ｗの寸法Ｗ２より幅方向Ｗの寸法Ｗ３が小さく形成されている。ストライク穴４３も、幅方向両側が平行な一対の衝止部４３ａ，４３ｂとなる。このストライク穴４３は、図４に示すように、中心線３４に対して右寄りに偏芯して配設されている。
【００２１】
本実施の形態では、図２に示すように、ストライク板２１の背面に、固定ネジ２３，２３の挿通される中空ピン４５が取付穴４１，４１と同軸で突設される。一方、トロヨケ１７の固定穴２７，２７及び調整板１９の貫通穴３５，３５は、この中空ピン４５の外径と同一径で形成されている。
【００２２】
したがって、ストライク板２１の中空ピン４５，４５が、調整板１９の貫通穴３５，３５、トロヨケ１７の固定穴２７，２７に挿嵌されることで、ストライク板２１、調整板１９、及びトロヨケ１７の固定板２５，２５とが中空ピン４５，４５を介して同一輪郭内に納められて積層状に位置決めされる。これにより、単に固定ネジ２３，２３の挿通、及び固定ネジ２３，２３の挟持力のみで積層する構造に比べ、ストライク板２１、調整板１９及びトロヨケ１７の位置決め精度、位置ズレ強度を高めることができ、また取り付け時のネジ締めを容易にする。
【００２３】
各部材を上記のように形成した調整ストライク１００は、調整板１９又はストライク板２１を、表裏は変えず、１８０度回転（上下反転）させ、固定ネジ２３，２３にてトロヨケ１７と共に固定することで錠ボルト１５との衝止部を変位可能としている。
【００２４】
この調整ストライク１００では、ストライク板２１が固定ネジ２３，２３によって、調整板１９を挟んでトロヨケ１７に固定されることで、トロヨケ１７の固定板２５、調整板１９がストライク板２１板によって覆われ、扉開放時に、調整ねじ等の調整部材がストライク板２１表面やトロヨケ１７内に表出しなくなる。また、調整部を悪意で操作して扉１３にガタツキを生じさせることが困難となる。さらに、衝止部を、錠ボルト進入穴３７の端面（衝止部３７ａ，３７ｂ）、ストライク穴４３の端面（衝止部４３ａ，４３ｂ）とすることができるので、衝止強度が高められる。
【００２５】
次に、上記のように構成された調整ストライクの調整方法を説明する。
図５は衝止部が基準位置で組み合わされた調整ストライクの正面視を（ａ）、その横断面を（ｂ）に表した作用説明図である。
調整ストライク１００は、調整板１９、ストライク板２１が、例えば図４に示した向きで、トロヨケ１７と一体に固定された状態での衝止位置を基準位置とする。この場合、図５に示すように、折曲片部３９と、ストライク板２１の衝止部４３ａが衝止位置となる。
【００２６】
図６は衝止部が右へ−２ｍｍ、左へ＋２ｍｍ変位した位置で組み合わされた調整ストライクの正面視を（ａ）、その横断面を（ｂ）に表した作用説明図である。
調整ストライク１００は、上記したように、調整板１９又はストライク板２１を表裏を変えずに１８０度回転させて、固定ネジ２３，２３にてトロヨケ１７と共に固定することで錠ボルト１５との衝止部を変位させる。すなわち、図６に示すように、図５の状態からストライク板２１のみが１８０度回転されて固定されると、ストライク穴４３の衝止部４３ａが右側へ配置され、衝止部４３ａ，４３ｂが衝止位置となる。これにより、衝止部が例えば右へ−２ｍｍ、左へ＋２ｍｍ変位可能となる。
【００２７】
図７は衝止部が右へ＋２ｍｍ変位した位置で組み合わされた調整ストライクの正面視を（ａ）、その横断面を（ｂ）に表した作用説明図である。
また、図５に示した基準位置に対し、調整板１９のみが１８０度回転されて固定されると、調整板１９の錠ボルト進入穴３７の衝止部３７ａが右側へ配置されて衝止部４３ｂと一致し、その結果、ストライク板２１の衝止部４３ａ，４３ｂが衝止位置となる。これにより、衝止部が例えば右へ＋２ｍｍ変位可能となる。
【００２８】
したがって、上記実施の形態による調整ストライク１００によれば、固定板２５、進入部２９、固定穴２７，２７を有するトロヨケ１７と、固定板２５と同一外形で形成され錠ボルト進入穴３７が偏芯した調整板１９と、固定板２５と同一外形で形成されストライク穴４３が偏芯したストライク板２１とを備え、調整板１９又はストライク板２１を１８０度付け替えトロヨケ１７と共に固定することで衝止部３７ａ，３７ｂ、衝止部４３ａ，４３ｂ、折曲片部３９をストライク穴４３の位置に対して変位可能、すなわち上記の例では、図６に示す基準位置と図５，７に示す±２ｍｍの計３段階の変位を可能とする構成としたので、トロヨケ１７の固定板２５、調整板１９がストライク板２１によって覆われ、調整ねじが表出せず、簡単な構造で、見栄えを良くすることができるとともに、調整部が悪戯されることも防止できる。
【００２９】
また、調整部を悪意で操作して扉１３にガタツキを生じさせることが困難となるので、防犯性も向上させることができる。さらに、衝止部３７ａ，３７ｂ、衝止部４３ａ，４３ｂ、折曲片部３９を、錠ボルト進入穴３７、ストライク穴４３の端面とすることができるので、衝止強度を高めることができ、これによっても防犯性を向上させることができる。
【００３０】
なお、本発明に係る調整ストライクは、調整板１９、ストライク板２１の板部材を組合せる構成であるので、固定穴２７による中心線３４を基準として複数種類の寸法違いでこれらを用意することにより、さらに複数の異なる調整寸法への対応を可能にすることができる。
【図面の簡単な説明】
【００３１】
【図１】本発明に係る調整ストライクの取り付けられた開口枠を扉と共に表した斜視図である。
【図２】扉閉止状態の図１のＡ−Ａ矢視図である。
【図３】図１に示した調整ストライクの分解斜視図である。
【図４】図３のＢ−Ｂ矢視図である。
【図５】衝止部が基準位置で組み合わされた調整ストライクの正面視を（ａ）、その横断面を（ｂ）に表した作用説明図である。
【図６】衝止部が右へ−２ｍｍ、左へ＋２ｍｍ変位した位置で組み合わされた調整ストライクの正面視を（ａ）、その横断面を（ｂ）に表した作用説明図である。
【図７】衝止部が右へ＋２ｍｍ変位した位置で組み合わされた調整ストライクの正面視を（ａ）、その横断面を（ｂ）に表した作用説明図である。
【符号の説明】
【００３２】
１１…開口枠
１３…扉
１５…錠ボルト
１７…トロヨケ
１９…調整板
２１…ストライク板
２３…固定ネジ
２５…固定板
２７…固定穴
２８…枠
２９…進入部
３１…進入部の開口穴
３３…幅方向の中心
３４…中心線
３５…貫通穴
３７…錠ボルト進入穴
３７ａ，３７ｂ，４３ａ，４３ｂ…衝止部
３９…折曲片部
４１…取付穴
４３…ストライク穴
４５…中空ピン
１００…調整ストライク
【図１】
0004956306.tif 000002
【図２】
0004956306.tif 000003
【図３】
0004956306.tif 000004
【図４】
0004956306.tif 000005
【図５】
0004956306.tif 000006
【図６】
0004956306.tif 000007
【図７】
0004956306.tif 000008